(57)【要約】【課題】流体中に含まれる磁性粒子を効率良く分離・除去するための磁性粒体分離装置を提供する。【解決手段】磁性粒子を含む被処理流体が導入される流入口３を備えるサイクロン式処理容器２と、サイクロン式処理容器２に設けられた筒状流出通路６と、筒状流出通路６に設けられた導入口７と、サイクロン式処理容器２は、流入口３が設けられた本体部分と、本体部分の下端に連続する略逆円錐形状部分と、略逆円錐形状部分の下端部から筒状流出通路の導入口の高さ位置に向かって略円錐形状になった略円錐形状部分と、略逆円錐形状部分に連続する排出部２ｄを備え、略逆円錐形状部分の下端部に絞り部８を形成し、略円錐形状部分の下端部に拡大部９を備え、サイクロン式処理容器２の排出部２ｄの側壁の外側に配設された永久磁石部材１０と、永久磁石部材１０の磁力がサイクロン式処理容器２内に作用する状態と、作用しない状態に制御する制御手段３０とを備える。【選択図】図１
2009050825.tif 000002
【特許請求の範囲】
【請求項１】
磁性粒子を含む被処理流体が軸直交する接線方向から導入される流入口を備え、下端部に排出口を備えるサイクロン式処理容器と、
該サイクロン式処理容器の中央に軸方向に設けられ、処理流体を流出する筒状流出通路と、
該筒状流出通路の下端に設けられた導入口とを備えた磁性粒体分離装置において、
該サイクロン式処理容器は、該流入口が設けられた円筒状の本体部分と、該本体部分の下端に連続しており、該筒状流出通路の高さ方向途中に向かって略逆円錐形状になった略逆円錐形状部分と、該略逆円錐形状部分の下端部から該筒状流出通路の該導入口の高さ位置に向かって略円錐形状になった略円錐形状部分と、該略逆円錐形状部分の下端部に連続する排出部とを備え、該略逆円錐形状部分の下端部に絞り部を形成し、該略円錐形状部分の下端部に拡大部を形成し、
該サイクロン式処理容器の該排出部の側壁の外側に配設された永久磁石部材と、
該永久磁石部材の磁力が該サイクロン式処理容器内に作用する状態と、作用しない状態に制御する制御手段とを備えることを特徴とする磁性粒体分離装置。
【請求項２】
拡大部が筒状流出通路の導入口の高さとほぼ同じ高さ位置にあることを特徴とする請求項１に記載の磁性粒体分離装置。
【請求項３】
筒状流出通路はほぼ同径の筒形状からなり、導入口は、僅かに径が拡大して設けられていることを特徴とする請求項１又は２に記載の磁性粒体分離装置。
【請求項４】
永久磁石部材は、分割片からなるN極と分割片からなるS極が円周方向に隣接されて配置されたNS磁極が円周方向に連続して配置されていることを特徴とする請求項１ないし３のいずれか１つに記載の磁性粒体分離装置。
【請求項５】
制御手段が、永久磁石部材を上下方向に移動させて、永久磁石部材の磁力が作用する状態と作用しない状態に制御することを特徴とする請求項１ないし４のいずれか１つに記載の磁性粒体分離装置。
【請求項６】
永久磁石部材が下降した位置と対向する位置であって、排出部分にリング状のシールド手段が埋設され、永久磁石部材が下降した場合に、シールド手段によって、永久磁石部材の磁力が排出部分の内側の磁性粒子に作用しないようにすることを特徴とする請求項５に記載の磁性粒体分離装置。
【請求項７】
制御手段が、永久磁石部材の磁力がサイクロン式処理容器内に作用する状態と、作用しない状態に制御するシールド手段と、永久磁石部材の磁力が作用する方向と直角な方向にシールド手段と永久磁石部材とを相対的に移動する移動手段とを有することを特徴とする請求項１ないし４のいずれか１つに記載の磁性粒体分離装置。
【請求項８】
制御手段が、永久磁石部材の磁力がサイクロン式処理容器内に作用する状態と、作用しない状態に制御するシールド手段を備え、シールド手段が途中に複数の貫通孔を備え、排出部分の内壁と永久磁石部材との間に配設されたリング状部材からなり、リング状部材と永久磁石部材とを相対的に回転させる移動手段を備え、永久磁石部材のNS磁極がリング状部材の貫通孔に位置する場合に磁力が作用し、貫通孔以外に位置する場合に磁力の作用が遮られることを特徴とする請求項４に記載の磁性粒体分離装置。
【発明の詳細な説明】
【技術分野】
【０００１】
本発明は、液体中の磁性粒子や気体中の磁性粒子等の磁性を有する微粒子等をサイクロン式処理容器を使って分離除去するための磁性粒体分離装置に関する。特に、本発明は、機械加工機等の切削液等に含まれる加工屑（磁性粒子）を除去するための磁性粒体分離装置に関する。
【背景技術】
【０００２】
機械加工機においては、供給タンクに貯蔵された切削液が被加工物に供給された後、被加工物の加工屑を含む切削液がポンプで供給タンクに戻されることによって、切削液が加工機内を循環している。一般的に、被加工物から発生した加工屑は、加工機の循環経路の途中に設けられたフィルタ装置によって回収・除去されている。
【０００３】
フィルタ装置としては、ペーパーフィルタやバグフィルタやカートリッジフィルタ等の膜を用いたろ過式のものや加工屑を沈降させる沈降式のもの等がある。
【０００４】
しかし、ろ過装置は、使用時間が長くなるに従って、加工屑の粒体によってフィルタ膜が目詰まりを起こすので、定期的にあるいは不定期に、フィルタ装置を分解して、フィルタ膜を洗浄するか又は交換する必要があり、メンテナンスに費用がかかる、メンテナンスが面倒である等の問題を有している。また、沈殿式濃縮装置（シックナー）は、装置が大型になる、設備費が高い、微粒子を沈降させるのに時間がかかる等の問題を有している。
【０００５】
ところで、微粒子を捕集するために、遠心力を利用したサイクロンが広く利用されている。
【０００６】
乾式サイクロンでは一般に５μｍ以上の微粒子が、湿式サイクロンでは一般に１０μｍ以上の微粒子が、それぞれ捕集されている。したがって、大略１０μｍより粒子径の小さな微粒子を捕集するためには、サイクロンの入口速度を大幅にアップさせる必要がある。しかしながら、入口速度が大きくなるに従って、圧力損失が大きくなるので、エネルギー的に見て無駄の多い現実性の乏しいシステムとなってしまう。
【０００７】
特に、切削加工や研削加工に使用される切削液では、切削液中に含まれる加工屑を完全に除去する必要がある。特に、切削加工や研削加工の切削屑には高硬度の切粉があり、この切粉が切削液に含まれたままであると、被加工物にスクラッチなどの傷を発生させる元となる。この切粉は平均１０μｍ以下のものが多く、サイクロン処理装置では分離できない。そのために、現場では、フィルタと組み合わせ等の対応をしているが、十分でなく、更に別の対策が強く望まれていた。
【０００８】
対策の一例として、磁性粒子の回収方法として、サイクロン式処理装置の側壁の外側に磁石を配設し、この磁石を直径方向或いは、上下方向に移動させて、磁力が作用する状態と作用しなくなる状態とにすることで、サイクロン式処理装置内の磁性スラッジを吸着させて、その後吸着した磁性スラッジを側壁から離してサイクロン式処理装置から排出することが知られている（例えば、特許文献１）。
【特許文献１】特開２００５−２１８３５号公報
【発明の開示】
【発明が解決しようとする課題】
【０００９】
しかしながら、上記特許文献１に示すものでは、サイクロン式処理装置は略円筒形状の本体部分と、本体部分に連続する略逆円錐形状の略逆円錐形状部分を備え、サイクロン式処理装置の軸中心部分に筒状流出通路が設けられ、筒状流出通路の下端部に導入口が形成されており、本体部分と略逆円錐形状部分との接続部分の高さ位置が、筒状流出通路の導入口の高さ位置とほぼ同じである。
【００１０】
そのために、被処理流体が流入口から本体部分に流入されて本体部分内で旋回流で旋回されても、比重の重い磁性粒子（切削屑等）と比重の軽い液体成分（切削液等）とが十分に分離されずに、略逆円錐形状部分のテーパー面に沿って落下するために、被処理流体が十分に分離されてない状態のままで導入口から筒状流出通路内に導かれる可能性が高い。特に、特許文献１の図１〜図３に示す構成では、略逆円錐形状部分の下部に第２筒状部分及び第２逆円錐形状部分を設け、これら第２筒状部分及び第２逆円錐形状部分に磁石を設ける構成であるので、ここまで落下してきた磁性粒子は吸着することができるが、第２筒状部分及び第２逆円錐形状部分の上側部分に位置する筒状部分及び逆円錐形状部分の接続部分に導入口があり、被処理流体が十分に分離されてない状態のままで導入口から筒状流出通路内に導かれる可能性が高い。また、特許文献１の図４〜６に示す構成では、第２筒状部分及び第２逆円錐形状部分の上側部分にある筒状部分及び逆円錐形状部分の接続部分から磁石を設けているが、接続部分よりも上方位置から磁力を作用するようにしているために旋回流を乱す可能性がある。また、逆円錐形状部分に対しては下方に向かうに従って磁力が徐々に作用しなくなるので、分離機能が十分でない。
【００１１】
したがって、本発明は、サイクロン式処理容器と永久磁石を使って流体中に含まれる磁性粒子を分離・除去する磁性粒体分離装置において、効率良く且つ安定して分離・除去できる磁性粒体分離装置を提供することである。
【課題を解決するための手段】
【００１２】
具体的には、第１の発明は、磁性粒子を含む被処理流体が軸直交する接線方向から導入される流入口を備え、下端部に排出口を備えるサイクロン式処理容器と、
該サイクロン式処理容器の中央に軸方向に設けられ、処理流体を流出する筒状流出通路と、
該筒状流出通路の下端に設けられた導入口とを備えた磁性粒体分離装置において、
該サイクロン式処理容器は、該流入口が設けられた円筒状の本体部分と、該本体部分の下端に連続しており、該筒状流出通路の高さ方向途中に向かって略逆円錐形状になった略逆円錐形状部分と、該略逆円錐形状部分の下端部から該筒状流出通路の該導入口の高さ位置に向かって略円錐形状になった略円錐形状部分と、該略逆円錐形状部分の下端部に連続する排出部とを備え、該略逆円錐形状部分の下端部に絞り部を形成し、該略円錐形状部分の下端部に拡大部を形成し、
該サイクロン式処理容器の該排出部の側壁の外側に配設された永久磁石部材と、
該永久磁石部材の磁力が該サイクロン式処理容器内に作用する状態と、作用しない状態に制御する制御手段とを備えることを特徴とする。
【００１３】
第２の発明は、第１の発明において、拡大部が筒状流出通路の導入口の高さとほぼ同じ高さ位置にあることを特徴とする。
【００１４】
第３の発明は、第１又は２の発明において、筒状流出通路はほぼ同径の筒形状からなり、導入口は、僅かに径が拡大して設けられていることを特徴とする。
【００１５】
第４の発明は、第１ないし３のいずれか１つの発明において、永久磁石部材は、分割片からなるN極と分割片からなるS極が円周方向に隣接されて配置されたNS磁極が円周方向に連続して配置されていることを特徴とする。
【００１６】
第５の発明は、第１ないし４のいずれか１つの発明において、制御手段が、永久磁石部材を上下方向に移動させて、永久磁石部材の磁力が作用する状態と作用しない状態に制御することを特徴とする。
【００１７】
第６の発明は、第５の発明において、永久磁石部材が下降した位置と対向する位置であって、排出部分にリング状のシールド手段が埋設され、永久磁石部材が下降した場合に、シールド手段によって、永久磁石部材の磁力が排出部分の内側の磁性粒子に作用しないようにすることを特徴とする。
【００１８】
第７の発明は、第１ないし４のいずれか１つの発明において、制御手段が、永久磁石部材の磁力がサイクロン式処理容器内に作用する状態と、作用しない状態に制御するシールド手段と、永久磁石部材の磁力が作用する方向と直角な方向にシールド手段と永久磁石部材とを相対的に移動する移動手段とを有することを特徴とする。
【００１９】
第８の発明は、第４の発明において、制御手段が、永久磁石部材の磁力がサイクロン式処理容器内に作用する状態と、作用しない状態に制御するシールド手段を備え、シールド手段が途中に複数の貫通孔を備え、排出部分の内壁と永久磁石部材との間に配設されたリング状部材からなり、リング状部材と永久磁石部材とを相対的に回転させる移動手段を備え、永久磁石部材のNS磁極がリング状部材の貫通孔に位置する場合に磁力が作用し、貫通孔以外に位置する場合に磁力の作用が遮られることを特徴とする。
【発明の効果】
【００２０】
第１の発明によれば、サイクロン式処理容器の本体部分に導入された被処理流体は、絞り部によって高旋回流となって略円錐形状部分に導かれ、略円錐形状部分において高速度の旋回運動による遠心力が強く作用するので、比重の大きな磁性粒子が径方向外方に運ばれて拡大部に集約することができ、永久磁石部材の磁力によって拡大部の側壁の内面に保持されることができる。その結果、被処理流体中に含まれる磁性粒子を効率良く分離・除去できる。
【００２１】
第２の発明によれば、被処理流体中に含まれる磁性粒子をより効率良く分離・除去できる。
【００２２】
第３の発明によれば、被処理流体中に含まれる磁性粒子を更により効率良く分離・除去できる。
【００２３】
第４の発明によれば、永久磁石を確実に配設でき、磁力の調整が容易であり、安定した磁力を得ることができる。
【００２４】
第５の発明によれば、簡単な構成で、磁石の磁力が作用する状態と作用しない状態に制御することができる。
【００２５】
第６の発明によれば、磁石を大きく移動させること無く、確実に磁石の磁力が作用する状態と作用しない状態に制御することができる。
【００２６】
第７の発明によれば、永久磁石部材の磁力が作用する方向と直角な方向にシールド手段と永久磁石部材とを相対的に移動するので、確実に磁石の磁力が作用する状態と作用しない状態に制御することができる。
【００２７】
第８の発明によれば、シールド部材を相対的に回転することで磁力が作用する場合と作用しない場合とを得られるので、その制御が容易であり、確実に安定して作動させることができる。
【００２８】
本発明では、磁性粒子を含む被処理流体が、略円筒状のサイクロン式処理容器内に接線方向に導入され、略円筒状処理容器内を高速で旋回運動して下方に移動する。被処理流体は、本体部分内を旋回運動することにより旋回流が生じ、略逆円錐形状部分に導かれる。略逆円錐形状部分の下端部に設けられた絞り部によって旋回流の速度が高くなり、略円錐形状部分に導かれる。略円錐形状部分において、高速度の旋回運動による遠心力が強く作用する。その結果、比重の大きな磁性粒子には、より大きな遠心力が作用して、径方向外方に運ばれて拡大部に集約するようになる。更に、この磁性粒子は、NS磁極群等の永久磁石部材の磁力によって、拡大部方向に引っ張られると同時に側壁の内面に保持された状態となる。
【００２９】
その結果、被処理流体は、サイクロン式処理容器の略中央部（筒状流出通路の外壁付近）に存する液体成分と、拡大部に偏在した磁性粒子の層とに分離される。サイクロン式処理容器２の略中央部（筒状流出通路の外壁付近）に存する液体成分は、排出部分において上向き軸方向の力が働いて、導入口から筒状流出通路内に導かれて、クリーンな液体として磁性粒体分離装置から外部に流出される。
【００３０】
側壁に設けられた永久磁石部材によって側壁の内壁上に吸着された磁性粒子は、磁力を弱めるか或いは磁力を無くすことによって側壁の内壁から脱離する。その結果、磁性粒子が落下して排出口から排出され、回収手段（図示省略）に回収される。したがって、流体中に含まれる磁性粒子が効率良く分離・除去される。
【００３１】
特に、研削砥石のように、被加工物の切粉と砥粒とが一緒になった切削屑では、切削屑である磁性粒子が大略１０μｍより小さい磁性微粒子であり、通常のサイクロン式処理装置では分離・除去することが困難であるが、本発明では、より効果的に分離・除去できる。
【発明を実施するための最良の形態】
【００３２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３３】
《発明の実施形態１》
図１ないし図４に基づいて、本発明の実施形態１を説明する。
【００３４】
実施形態１の磁性粒体分離装置１は、研削加工や切削加工や研磨加工等の各種機械加工を行うための機械加工機において、切削液の中に混入する切粉（即ち磁性粒子）、或いは切粉と砥粒との溶着したもの等からなる切削屑と切削液とを分離し、切削屑を分離回収する場合に適用したものである。
【００３５】
磁性粒体分離装置１は、ステンレス、アルミニウムや樹脂等の非磁性体から構成されたサイクロン式処理容器２を備える。このサイクロン式処理容器２は、略円筒状の本体部分２aを備える。この本体部分２aの側壁の上側部分に流入口３が接線方向に設けられている。本体部分２aの下方には、本体部分２aに連続して略逆円錐形状で下方に向かって径が小さくなる略逆円錐形状部分２ｂと、この略逆円錐形状部分２ｂの下端部に設けられた絞り部８から更に下方に向かって逆に径が大きくなる略円錐形状部分２ｃを備える。さらに、略円錐形状部分２ｃの下端部に設けられた拡大部９から更に下方に向かって再び径が徐々に小さくなった略円錐形状の排出部分２ｄを備える。この排出部分２ｄの下端部に磁性粒子ｊの排出口４が設けられている。本体部分２a、略逆円錐形状部分２ｂ、略円錐形状部分２ｃ及び排出部分２ｄの外周に円筒状の円筒外筒５が設けられている。なお、円筒外筒５はステンレスや合成樹脂等の非磁性体であるが、永久磁石部材の磁力の作用上で影響が無ければ、鋼管としても良い。本体部分２a、略逆円錐形状部分２ｂ、略円錐形状部分２ｃ及び排出部分２ｄは別体で構成しているが、全部或いは一部が一体でも良い。本体部分２a、略逆円錐形状部分２ｂ、略円錐形状部分２ｃ、排出部分２ｄ及び円筒外筒５も一体としても良い。本発明で言う側壁とは、円筒外筒５と本体部分２a、略逆円錐形状部分２ｂ、略円錐形状部分２ｃ、排出部分２ｄを含む。
【００３６】
サイクロン式処理容器２の中心部分には、軸方向に延びて筒状流出通路６が配設されている。筒状流出通路６の下端部に設けられた導入口７は、拡大部９とほぼ同じ高さ位置に設けられている。その理由は、流入口３から本体部分２aに流入され、略逆円錐形状部分２ｂに導かれた流体が、その流速を絞り部８で一端速められた後、略円錐形状部分２ｃによって、遠心力の作用で重量の重いもの（切削屑等の磁性粒子）は拡大部９に向かい、重量の軽いもの（切削液等）は、中央に残るようになる。そして、排出部分２ｄでは、拡大部９から排出口４に向かって絞られる構成であり、中央に残るようになった流体が導入口７から筒状流出通路６内に導かれる。その際に、導入口７が拡大部９よりも大きく離れて高い位置にあると、遠心力が十分に作用してない状態の流体（切削屑と切削液が混在した状態）が導入口７近辺に存在する結果となり、重量の重い切削屑も導入口７から筒状流出通路６に導かれる結果となる。また、逆に、導入口７が拡大部９よりも大きく離れて低い位置にあると、拡大部９の高さ位置で、遠心力の作用で重量の重い切削屑が拡大部９に分離集約し、中央部分に重量の軽い切削液に分離集約できるにも関わらず、再度両者が混ざり合う結果となる。そのために、筒状流出通路６の下端部に設けられた導入口７と拡大部９とは、ほぼ同じ高さ位置に設けられていることが好ましい。
【００３７】
また、導入口７が設けられた下端部は僅かに外側に拡径して設けられており、流体により確実に遠心力が作用するようにしてある。しかし、場合によれば、下端部は筒状流出通路６の本体部分と同径のままでもよい。
【００３８】
円筒外筒５の外側に永久磁石部材１０が設けられている。永久磁石部材１０は、図２〜図４に示すように、N極１２とS極１３からなるNS磁極群１１が円周方向に並んで設けられている。このNS磁極群１１の上端部が拡大部９や導入口７とほぼ同じ高さ位置に設けられている。NS磁極群１１は円筒外筒５に設けられた支持フレーム１５に取付けられている。
【００３９】
円筒外筒５とNS磁極群１１との間に、リング状部材２１が設けられている。このリング状部材２１の高さはNS磁極群１１の高さよりも少し大きくなっている。リング状部材２１の背面（即ち、NS磁極群１１側）には、非磁性体からなるガイドリング２３がリング状に設けられている。リング状部材２１の内面（即ち、円筒外筒５側）には、凹部２４が形成され、この凹部２４の上下端部に、円筒外筒５の外周に接触する接触部２５が設けられている。リング状部材２１が上下動する際の接触抵抗を少なくするために、凹部２４が設けられている。リング状部材２１の下端部にフランジ部２２が一体に設けられている。フランジ部２２に移動手段としてのエアシリンダ３０が接続されている。移動手段としては、エアシリンダやモーター等の公知の駆動手段を使用できる。２６は、リング状部材２１が下降した際の下端の位置決めを行うストッパである。
【００４０】
なお、シリンダ３０は、図１に示すように２ヶ所設けているが、この数に限られるものではなく、１つでも良く、また２つより多くてもよい。シールド手段２０のリング状部材２１が同時に上下動するようになっているが、例えば、半円ずつ上下動する、或いは９０°分ずつ上下動するようにしても良い。その場合は、シリンダを別々に設けると上下動がスムーズにコントロールできる。
【００４１】
次に、実施形態１の磁性粒体分離装置１の動作について説明する。シールド手段２０は図１に想像線で示すように、下端位置に移動して、永久磁石部材１０のNS磁極群１１がサイクロン式処理容器２内の磁性微粒子ｊに作用する状態になっている。この状態で、磁性微粒子ｊを含む被処理流体ｒが、高速で、接線方向に流入口３からサイクロン式処理容器２内に導入される。導入された被処理流体ｒは、本体部分２aの側壁内面に沿うように、旋回運動を行う。本体部分２aの内部では、導入された被処理流体ｒが本体部分２a内を旋回運動することにより旋回流が生じ、略逆円錐形状部分２ｂに導かれる。略逆円錐形状部分２ｂの下端部に設けられた絞り部８によって、旋回流の速度が高くなり、略円錐形状部分２ｃに導かれる。略円錐形状部分２ｃにおいて、高速度の旋回運動による遠心力が強く作用する。その結果、比重の大きな磁性微粒子ｊには、より大きな遠心力が作用して、径方向外方に運ばれて拡大部９に集約するようになる。この磁性微粒子ｊは、NS磁極群１１の磁力によって、拡大部９方向に引っ張られると同時に側壁５の内面に保持された状態となる。その結果、被処理流体ｒは、サイクロン式処理容器２の略中央部（筒状流出通路６の外壁付近）に存する液体成分と、拡大部９に偏在した磁性微粒子ｊの層とに分離される。サイクロン式処理容器２の略中央部（筒状流出通路６の外壁付近）に存する液体成分は、排出部分２ｄにおいて上向き軸方向の力が働いて、導入口７から筒状流出通路６に導かれて、クリーンな液体として磁性粒体分離装置１から外部に排出される。
【００４２】
そして、拡大部９の内面に多くの磁性微粒子ｊが付着した後、シールド手段２０のリング状部材２１を上昇させ、円筒外筒５とNS磁極群１１との間に介在させる。このことによって、NS磁極群１１の磁力が磁性微粒子ｊに作用する磁力が弱くなるか無くなり、排出部分２ｄの内壁面に偏在している磁性微粒子ｊは、内壁面の内面に沿って落下していき、排出口４から排出される。
【００４３】
その後は、再び、シールド手段２０を下降させて、初期の状態とする。この動作を繰り返すことによって、被処理流体ｒを、磁性微粒子ｊとクリーンな液体とに分離し、夫々を回収する。
【００４４】
実施形態1では、サイクロン式処理容器２の略逆円錐形状部分２ｂを通ってから絞り部８に向かって旋回流が高速になり、高速で略円錐形状部分２ｃで拡がるので、比重の重い磁性微粒子ｊが効率的に拡大部９の方向に移動し、クリーンな液体が中心部に残るようになり、分離が効果的に行われる。更に、永久磁石部材１０を動かすのではなく、円筒外筒５と永久磁石部材１０との間に設けたシールド手段２０を移動させて、永久磁石部材１０の磁力が排出部分２ｄの内壁面の磁性微粒子ｊに作用することをコントロールするので、磁力の作用・非作用の制御が確実であり、且つ安定している。
【００４５】
《発明の実施形態２》
次に、図５に基づいて、本発明の実施形態２について説明する。なお、実施形態２において、実施形態１と共通する部分に関してはその説明を省略し、実施形態１と相違する特徴部分を中心に説明する。
【００４６】
実施形態２では、永久磁石部材のNS磁極群１１を支持する支持フレーム３５に、シリンダ３１が接続されている。シリンダ３１の作動により、支持フレーム３５が円筒外筒５の外側を上下動するようになっている。この構成では、排出部分２ｄの円錐形状により、NS磁極群１１が下降した場合に、NS磁極群１１と排出部分２ｄの内壁との距離が大きくなることで、排出部分２ｄの内壁面に付着した磁性微粒子ｊに対する磁力が弱くなり、付着した磁性微粒子ｊが落下する。この実施形態２でも、磁性粒子ｊを効果的に分離できる。この実施形態２でも、永久磁石部材のNS磁極群１１を上下動させるので、永久磁石部材がサイクロン式処理容器内の被処理液に作用する磁力に対して、磁力を剪断する方向に動かすこととなり、移動が確実である。また、実施形態２では、シールド手段を設けなくても良く、構造が簡単である。
【００４７】
なお、永久磁石部材のNS磁極群１１を下降させて、磁力の作用を弱くする際に、大きく下降する必要がある、或いは、下降させても磁力が思ったほど弱くならない等の影響がある場合には、排出部分２ｄとNS磁極群１１との間にシールド手段であるリング状部材を設けるようにしても良い。その場合に、例えば、想像線３３で示すように、排出部分２ｄの外周側にリング状部材を埋設するようにしても良い。このようにすれば、NS磁極群１１を下降させた際に、NS磁極群１１が排出部部２ｄの内壁に付着する磁性微粒子ｊに対する磁力の作用を確実に弱める或いは無くすことことができる。また、下降移動量を少なくできる。なお、リング状部材３３は、永久磁石部材と排出部分２ｄの内壁との間にあればよいので、排出部分２ｄ内で無く、円筒部材５の内周や外周、或いは内部に埋設するようにしても良く、当然、排出部分２ｄ内に埋設しても良い。
【産業上の利用可能性】
【００４８】
以上説明したように、本発明は、液体中の磁性粒子や気体中の磁性粒子等の磁性を有する微粒子等をサイクロン式処理容器を使って分離除去するための磁性粒体分離装置、機械加工機等の切削液等に含まれる加工屑（磁性粒子）を除去するための磁性粒体分離装置に適用できる。また、気体中に磁性微粒子が含まれた被処理流体に対しても、適用可能である。
【図面の簡単な説明】
【００４９】
【図１】本発明の実施形態１に係る磁性粒体分離装置を示す模式図である。（Ａ）は平面図であり、（Ｂ）は側面図である。
【図２】図１の要部拡大図を示す。
【図３】本発明の実施形態１の永久磁石部材とシールド手段の位置関係を説明する図である。（Ａ）は永久磁石部材のＮ極及びＳ極の配列を示す模式図である。（Ｂ）は、シールド手段の貫通口の位置を示す模式図である。（Ｃ）は、シールド手段の貫通口の位置が移動した状態を示す模式図である。
【図４】本発明の実施形態１の永久磁石部材とシールド手段の平面図を示す。
【図５】本発明の実施形態２に係る磁性粒体分離装置の部分図を示す模式図である。
【符号の説明】
【００５０】
１        磁性粒体分離装置
２        サイクロン式処理容器
３        流入口
５        側壁
６        筒状流出通路
７        導入口
８        絞り部
９        拡大部
１０      永久磁石部材
１１      NS磁極群
１２      N極
１３      S極
１５      支持フレーム
２０      シールド手段
２１      リング状部材
２２      フランジ部材
３０      移動手段
【図１】
2009050825.tif 000003
【図２】
2009050825.tif 000004
【図３】
2009050825.tif 000005
【図４】
2009050825.tif 000006
【図５】
2009050825.tif 000007